(57)【要約】【課題】  冊子のファイリングを容易にするとともに、冊子のコピー時にファイルからの着脱を不要とする。【解決手段】  表紙２あるいは裏表紙３に該表紙あるいは該裏表紙の中央綴じ線９から左右に所定巾折り返し線５，６を表示し、該折り返し線５，６に沿って前記表紙２あるいは前記裏表紙３を折り返して綴じ部Ｆを形成し、該綴じ部Ｆに予めあるいはファイル時に所定数の綴じ孔４を設けたことを特徴とする。また、表紙２及び裏表紙３に該表紙及び該裏表紙の中央綴じ線９から左右に所定巾の折り返し線５，６を表示し、該折り返し線５，６に沿って前記表紙２及び前記裏表紙３を折り返して綴じ部Ｆを形成し、該綴じ部Ｆに予めあるいはファイル時に所定数の綴じ孔４を設けたことを特徴とする。【選択図】  図１
2010094874.tif 000002
【特許請求の範囲】
【請求項１】
表紙あるいは裏表紙に該表紙あるいは該裏表紙の中央綴じ線から左右に所定巾折り返し線を表示し、該折り返し線に沿って前記表紙あるいは前記裏表紙を折り返して綴じ部を形成し、該綴じ部に予めあるいはファイル時に所定数の綴じ孔を設けたことを特徴とする冊子。
【請求項２】
表紙及び裏表紙に該表紙及び該裏表紙の中央綴じ線から左右に所定巾の折り返し線を表示し、該折り返し線に沿って前記表紙及び前記裏表紙を折り返して綴じ部を形成し、該綴じ部に予めあるいはファイル時に所定数の綴じ孔を設けたことを特徴とする冊子。
【請求項３】
前記折り返し部分を形成することにより、前記表紙あるいは前記裏表紙が短くなることにより、露出する冊子の１頁目の露出部分に目次等の文字を記載したことを特徴とする請求項１あるいは２に記載の冊子。
【請求項４】
前記折り返し部分を形成することにより、前記表紙あるいは前記裏表紙の巾方向寸法が短くなるのを避けるため、該短くなる寸法分だけ前記表紙あるいは前記裏表紙の巾方向寸法を予め長くして折返しておくことを特徴とする請求項１あるいは２に記載の冊子。
【発明の詳細な説明】
【技術分野】
【０００１】
本発明は、冊子に関し、とくにその裏表紙または表裏表紙に折り返して綴じ部を形成し、該綴じ部に市販のパンチでファイル用綴じ孔を設けて、綴じ孔にファイル用バインド具を挿入して多数の冊子をファイル可能にしたファイル用綴じ孔を折り返して形成した綴じ部にもつ冊子に関する。
【背景技術】
【０００２】
従来、書類や冊子（印刷物を製本して綴じたもの）を綴じるファイルとして、厚紙を屈曲して形成した表表紙と、裏表紙と、背表紙とから構成し、該背表紙の内側に金属製の例えば２本のファイル用バインド具をリベットや接着剤により固定して、該バインド具に書類や冊子に穿けた孔（綴じ孔）を挿入させてファイリングしていた。
【０００３】
例えば、図５（ａ）、（ｂ）に示すように、この種のファイル２０は、背表紙２１と、この背表紙２１の両端に屈折自在に連結した表表紙２２と裏表紙２３とからなり、バインド具２５を背表紙２１の底部２６の内側に固着し、書類や冊子Ｐに開けられた綴じ孔Ｈに挿通される挿通部材２７を内挿する間隙を形成し、挿通部材２７の軸方向の移動を抑制する一対の止め板２４ａ，２４ｂと、該一対の止め板２４ａ，２４ｂの各上端部から、対向した止め板２４ａ，２４ｂ側に突出するように設けられて挿通部材２７の長さよりも狭い隙間を形成する。さらに、挿通部材２７の両端を係止して挿通部材２７の移動を抑制する一対の係止片２５ａ，２５ｂと、一対の止め板２４ａ，２４ｂで形成された両側開口部に設けられ、かつ、一対の止め板２４ａ，２４ｂの両側端開口方向の挿通部材２７の移動を抑制する一対の抜け止め部とを有してなる。
【０００４】
そして、上記した構成のファイル用バインド具５により冊子等をファイルする時は、書類や冊子Ｐに設けた複数の綴じ孔Ｈのそれぞれに挿通した複数の挿通部材２７が、一対の止め板２４ａ，２４ｂと略直角をなすようにバインド具本体２５内に内挿されて、書類や冊子Ｐが綴じられる。
【０００５】
上記した状態で綴じられた書類や冊子Ｐとともに挿通部材２７がバインド具２５内で動いても、一対の止め板２４ａ，２４ｂ、一対の係止片２５ａ，２５ｂ及び一対の抜け止め部（図示なし）がバインド具本体２７の両端部に設けられているので、挿通部材２７とともに、書類や冊子Ｐがバインド具本体２５から抜け落ちないようになっている。
【０００６】
上記した状態で綴じられた書類や冊子Ｐを見る場合、読み手が書類や冊子Ｐを挿通部材２７の両端が係止片２５ａ，２５ｂと接触するまで持ち上げれば、一対の止め板２４ａ，２４ｂ内の入っていた書類や冊子Ｐの書面側の綴じ孔近傍を係止片２５ａ，２５ｂより外側に位置させることができる。これにより、書類や冊子Ｐを、綴じ孔Ｈ近傍まで見開くことができる。（特許文献１参照）
しかしながら、このようなファイル用バインド具であっても、ファイリングする冊子が、例えば５ｍｍ以上の厚さ（コピー用紙で２０枚程度）をもつ場合、市販の２孔のパンチのパンチ部の隙間に冊子を挿入できず、孔あけができなかった。また、コピー時には、必要な冊子をファイルから取り出す必要性があった。
【特許文献１】特開２００２−３０７８８６号公報
【発明の開示】
【発明が解決しようとする課題】
【０００７】
本発明が解決しようとする課題は、ファイリングする冊子の表紙に折り返し部を設けて、当該折り返し部に予めあるいはファイル時に綴じ孔を市販のパンチ等により穿孔して、所定厚み以下の冊子を容易にファイリングできるようにするとともに、コピー時にファイルからの冊子の着脱を不要にすることである。
【課題を解決するための手段】
【０００８】
前記した課題を解決するため、本発明の冊子は、表紙あるいは裏表紙に該表紙あるいは該裏表紙の中央綴じ線から左右に所定巾折り返し線を表示し、該折り返し線に沿って前記表紙あるいは前記裏表紙を折り返して綴じ部を形成し、該綴じ部に予めあるいはファイル時に所定数の綴じ孔を設けたことを特徴とする。
【０００９】
さらに、本発明の冊子は、表紙及び裏表紙に該表紙及び該裏表紙の中央綴じ線から左右に所定巾の折り返し線を表示し、該折り返し線に沿って前記表紙及び前記裏表紙を折り返して綴じ部を形成し、該綴じ部に予めあるいはファイル時に所定数の綴じ孔を設けたことを特徴とする。
【００１０】
また、前記折り返し部分を形成することにより、前記表紙あるいは前記裏表紙が短くなることにより、露出する冊子の１頁目の露出部分に目次等の文字を記載する。
【００１１】
さらにまた、前記折り返し部分を形成することにより、前記表紙あるいは前記裏表紙が巾方向に短くなるのを避けるため、該短くなる寸法分だけ前記表紙あるいは前記裏表紙の小口方向を予め長くして折返しておくようにする。
【発明の効果】
【００１２】
市販のパンチによる孔明けが可能になるとともに、必要な冊子をファイルしたままコピーできるようになる。また、多数の冊子をファイルしてもめくり易く、読み易くなる。さらに、ユーザーの好みで、冊子に綴じ孔がすでに明けられている場合には、そのままファイリングが可能となる。
【００１３】
また、裏表紙あるいは表表紙の折り返しにより生じる冊子の１頁目の小口部の余白にレイアウトの工夫により目次あるいはメッセージを印刷あるいは記入できるようになる。
【発明を実施するための最良の形態】
【００１４】
以下、本発明のファイル用綴じ孔を折り返し部にもつ冊子（以下、“本発明の冊子”という）の実施例の構成について、図１及び図２に沿って説明する。
【００１５】
図１は、本発明の冊子１の表紙２を開いて冊子本体７の最初の頁を示した平面図である。
【００１６】
まず、図１に示すように、本発明の冊子１では、表紙２と裏表紙３が綴じ線（綴じ部）９を境に左右に配置され、裏表紙３の上面に、例えば、Ａ４サイズ（２１０×２９７ｍｍ）の冊子本体７が綴じ線９に沿ってステープル止め、あるいは糊付されている。
【００１７】
また、中央綴じ線９を境にして左右に同じ巾（例えば、１５ｍｍ）をもつ折り返し線５，６が、それぞれ表紙２と裏表紙３に形成されている。綴じ孔４，４は、図２に示すように、折り返し線５，６に沿って表紙２と裏表紙３とを折り返し、表紙２と裏表紙３とを閉じてから、例えば、表紙の縦方向の中心に表示したパンチ用基準線８に市販の孔明けパンチの中心を合せてから、孔明けする。これにより、図１に示すように、綴じ線９を介して形成した表紙２の折り返し線５及び裏表紙３の折り返し線６を挟んで、例えばＪＩＳに規定する８０ｍｍピッチ（Ｄ）で内径が５ｍｍ程度の綴じ孔４が４個表紙２と裏表紙３にそれぞれ形成される。ここで、図２に示すように背口から綴じ孔４の内径左端までの寸法ｄは、ＪＩＳで１０ｍｍに規定されている。
【００１８】
次に、本発明の冊子１をファイリングする時には、予め明けたあるいはファイリング時に明けた綴じ孔４，４を用いて、綴じ孔４，４にファイルの挿通部材（ピン）に挿入する。冊子の厚みが薄く、軽い場合（例えば、２０〜３０枚、２〜３ｍｍ）には、図３（ａ）に示すように、裏表紙３を右側の図に示すように、折り返して、綴じ部（線）９から、例えば、１５ｍｍ程度の位置で折り戻して断面Ｌ字状の綴じ部Ｆを形成し、綴じ孔４，４を折り返し部分に露出させ、これらの綴じ孔４，４を用いてファイリングを行う（図４（ａ）参照）。
【００１９】
また、ファイリングする冊子１が重い、あるいは表紙が薄く強度が弱い場合には、図３（ｂ）の右側の図に示すように、表紙２及び裏表紙３を折り返して断面コ字状の綴じ部Ｆを形成し、綴じ孔４をそれぞれの折り返し部分に露出させ、これらの綴じ孔４，４を用いてファイリングを行う（図４（ｂ）参照）。
【００２０】
また、ファイリングした時、表紙あるいは裏表紙が折り返した部だけ巾（小口）方向に短かく（例えば、１５ｍｍ）なるのを避けたい場合には、短くなる寸法分だけ、図１に仮想線１４，１５で示すように、初期段階から表紙と裏表紙部分の小口方向の寸法を長くしておく。
【００２１】
すなわち、図３（ｃ）の左図に示すように、裏表紙３の先端を短くなる部だけ、内側に折り返して、折り返し部２ａを形成し（図４（ｃ）参照）、表紙２及び裏表紙３の先端が短くなって、冊子本体７の１頁目が一部露出した部分に、先に折り込まれた部分を戻して該露出部分を覆うようにする。これにより、表紙２あるいは裏表紙３の先端が折り返しにより、それぞれ巾寸法に短くなるのを回避する。
【００２２】
さらに、折り返し部分を形成することにより、表紙２あるいは裏表紙３の巾方向寸法が短くなることにより見える冊子本体の余白部分１０に、図３（ｄ）の右図に示すように、目次、トピック記事等の文字Ｃをレイアウトとして表示して、冊子の記載事項を強調する。
【図面の簡単な説明】
【００２３】
【図１】本発明のファイル用綴じ孔を表紙及び裏表紙を折り返して形成した綴じ部にもつ冊子の実施例の表表紙を開いた状態の平面図である。
【図２】本発明の表紙及び裏表紙を折り返して形成した綴じ部にもつ冊子の折り返し部を折り戻して閉じた状態の正面図である。
【図３】本発明の折り返して形成した綴じ部をもつ冊子の折り返し部を示し、図３（ａ）は、ファイルに綴じる冊子が軽い場合であって、裏表紙を折り返し裏表紙の先端が小口から所定寸法離れて短くなって冊子本体の１頁目が露出した状態を、図３（ｂ）は、ファイルに綴じる冊子が重いか、あるいは表紙が薄い場合であって、表紙及び裏表紙の両者を折り返した状態を、図３（ｃ）は、裏表紙の先端を折り返したことにより短くなる部だけ長くして予め内側折り込んでおき、使用時は、折り戻して伸ばし、冊子本体の小口と裏表紙の先端が一致するようにした状態を、また、図３（ｄ）は、表紙の先端が折り返しにより短くなり、冊子本体が露出した余白に目次等をレイアウトして表示した状態を、それぞれ示す。
【図４】本発明の折り返し部を持つ冊子の折り返し部の部分拡大縦断面図を示し、図４（ａ）は、図３（ａ）のＩ−Ｉ矢視断面図であって、表紙あるいは裏表紙を折り返してから折り戻した状態を、また、図４（ｂ）は、図３（ｂ）のII−II矢視断面図であって、表紙及び裏表紙を折り返してから折り戻した状態を、また、図４（ｂ）は、図３（ｃ）、（ｄ）のIII−III矢視断面図であって、表紙及び裏表紙の先端を余白部だけ予め長くしておき、表紙の内側に折り込んだ状態を、それぞれ示す。
【図５】従来のファイル用バインド具で書類あるいは冊子を綴じた状態を示し、図５（ａ）は、冊子をファイルし表表紙と裏表紙を閉じた状態を、また、図５（ｂ）は、表表紙と裏表紙を開いた状態を示す。
【符号の説明】
【００２４】
１  折り返し部付冊子
２  表紙
３  裏表紙
４  綴じ孔
５  折り返し線（表紙側）
６  折り返し線（裏表紙側）
７  冊子本体
８  孔明け用基準線
９  綴じ線
１０  余白部
１２  背口部（糊付け部、ステープルによる係止部）
１３  小口部
１４  寸法折り込み部（裏表紙側）
１５  寸法折り込み部（表紙側）
Ｆ  綴じ部
Ｃ  文字
【図１】
2010094874.tif 000003
【図２】
2010094874.tif 000004
【図３】
2010094874.tif 000005
【図４】
2010094874.tif 000006
【図５】
2010094874.tif 000007